(57)【要約】      （修正有）【課題】度重なる使用を経ても遮光性生地が変質せず、長期間に亘って優れた遮光性を維持することができるだけでなく、遮光性生地が熱を吸収しにくく、その内部温度の上昇を抑えることのできる上衣を提供する。【解決手段】上衣を、着用者の肌を覆う通気性生地と、通気性生地における少なくとも一部の外面に重ねて配された遮光性生地２０とで構成し、遮光性生地２０を、複数本の白色テープ２１と、複数本の白色テープ２１を隙間αを隔てて平行に連結する複数本の連結糸２２，２３とで構成し、白色テープ２１を、多数の微細な空隙が内部に形成された反射層を有する積層体とした。【選択図】図３
2011080163.tif 000002
【特許請求の範囲】
【請求項１】
着用者の肌を覆う通気性生地と、該通気性生地における少なくとも一部の外面に重ねて配された遮光性生地とで構成されることにより、遮光性が向上された上衣であって、
前記遮光性生地が、複数本の白色テープと、該複数本の白色テープを隙間を隔てて平行に連結する複数本の連結糸とで構成され、
前記白色テープが、多数の微細な空隙が内部に形成された反射層を有する積層体からなることを特徴とする上衣。
【請求項２】
前記白色テープの幅Ｗ１が１〜２０ｍｍであり、隣り合う前記白色テープの間に形成される前記隙間の幅Ｗ２が０．５〜５ｍｍであり、かつ幅Ｗ１に対する幅Ｗ１の比Ｗ２／Ｗ１が０．１〜０．５である請求項１記載の上衣。
【請求項３】
前記通気性生地がメッシュ素材とされた請求項１又は２記載の上衣。
【請求項４】
前記白色テープが水平方向となる向きで前記遮光性生地が前記通気性生地に重ねられた請求項３記載の上衣。
【請求項５】
襟部を備え、該襟部の表面側が前記通気性生地によって形成され、該襟部の裏面側が前記遮光性生地によって形成された請求項１〜４いずれか記載の上衣。
【発明の詳細な説明】
【技術分野】
【０００１】
本発明は、遮光性を有し、内部の温度上昇を抑えることのできる上衣に関する。
【背景技術】
【０００２】
道路工事や農作業などの屋外作業は、炎天下においては非常に厳しいものとなる。このため、これら屋外作業を快適に行うことができるように、様々な工夫を施した上衣が提案されている。例えば、特許文献１には、全体を通気性生地で形成し、この通気性生地における着用者の背中を覆う部分や肩部を覆う部分に遮光性生地を展着した上衣（日除け着）が提案されている（実用新案登録請求の範囲を参照）。しかし、特許文献１の上衣は、遮光性生地が布となっており、通常の上衣と比較して特段遮光性に優れたものとはなっていない。
【０００３】
また、特許文献２には、ポリエチレンフィルムからなる基材にアルミニウムを蒸着して遮光性フィルムを形成し、該遮光性フィルムを紐状に形成し、紐状に形成された遮光性フィルムを緯糸として用いた織布を、前記遮光性部材として使用した上衣が提案されている（段落００３７を参照）。ところがアルミニウムを蒸着した遮光性フィルムは、アルミニウム蒸着膜の表面に酸化被膜が形成されて金属光沢が損なわれたり、アルミニウム蒸着膜が水酸化アルミニウムに変性して透明になったりするなど、必ずしも、長期間に亘ってその遮光性を維持できるものとはなっていなかった。
【０００４】
このため、アルミニウム蒸着膜のさらに外面に樹脂を被覆するなどして保護層を形成することも行われている。しかし、アルミニウム蒸着膜に保護層を形成した遮光性フィルムでも、保護層に一旦傷が付くと、その傷ついた部分から空気や水がアルミニウム蒸着膜に到達し、上記のような不具合が生じるおそれがあった。また、アルミニウムを蒸着した遮光性フィルムは、保護層の有無にかかわらず、アルミニウム蒸着膜が熱を吸収し、その温度が上昇しやすいため、必ずしも、上衣の内部温度の上昇抑制に優れた効果を発揮できるものではなかった。
【先行技術文献】
【特許文献】
【０００５】
【特許文献１】実開平０２−１４２４０８号公報
【特許文献２】特開２００５−２３２６５３号公報
【発明の概要】
【発明が解決しようとする課題】
【０００６】
本発明は、上記課題を解決するためになされたものであり、度重なる使用を経ても遮光性生地が変質せず、長期間に亘って優れた遮光性を維持することができるだけでなく、遮光性生地が熱を吸収しにくく、その内部温度の上昇を抑えることのできる上衣を提供するものである。
【課題を解決するための手段】
【０００７】
上記課題は、着用者の肌を覆う通気性生地と、該通気性生地における少なくとも一部の外面に重ねて配された遮光性生地とで構成されることにより、遮光性が向上された上衣であって、前記遮光性生地が、複数本の白色テープと、該複数本の白色テープを隙間を隔てて平行に連結する複数本の連結糸とで構成され、前記白色テープが、多数の微細な空隙が内部に形成された反射層を有する積層体からなることを特徴とする上衣を提供することによって解決される。
【０００８】
ここで、「上衣」とは、着用者における少なくとも背中を覆う衣服のことを意味する。典型的には、ベストやジャケットなどの上着が「上衣」として例示される。また、「通気性生地」とは、典型的には、網目を有するメッシュ状の素材（メッシュ素材）が例示される。しかし、「通気性生地」という語は、開口部や通気孔を有さない連続面状の樹脂シートなど、空気を殆ど通さない非通気性の素材を除外する意図で用いたものであり、一般的な布地などであっても、ある程度通気性を有する素材であれば、「通気性生地」の概念に含まれるものとする。
【０００９】
本発明の上衣は、遮光性生地を構成する白色テープにおける光を反射するための反射層が、多数の微細な空隙を内部に有する構造のものであるため、白色テープに傷がついたような場合であっても、反射層における微細な空隙が形成された部分を貫通しない限りは、それまでと変わらぬ遮光性を発揮することができる。したがって、本発明の上衣は、長期間に亘って優れた遮光性を維持できるものとなっている。
【００１０】
また、本発明の上衣では、遮光性生地における隣り合う白色テープの間に隙間が形成されているため、該隙間を通じて外気を取り込むことができるようになっている。前記隙間から取り込まれた外気は、遮光性生地のさらに下側の通気性生地を通過して、着用者の身体を冷却する。このように、本発明の上衣は、通気性と遮光性を兼ね備えたものとなっているため、着用者を涼しく保つことができるものとなっている。
【００１１】
遮光性生地における白色テープの幅Ｗ１（図３を参照）や、隣り合う白色テープの間に形成される前記隙間の幅Ｗ２（図３を参照）は、特に限定されない。しかし、白色テープの幅Ｗ１が広すぎたり、前記隙間の幅Ｗ２が狭すぎたりすると、外気が上衣の内部に取り込まれにくくなるおそれがある。このため、白色テープの幅Ｗ１は、通常、２０ｍｍ以下とされる。白色テープの幅Ｗ１は、１５ｍｍ以下であると好ましく、１０ｍｍ以下であるとより好ましい。また、前記の隙間の幅Ｗ２は、通常、０．５ｍｍ以上とされる。前記隙間の幅Ｗ２は、１ｍｍ以上であると好ましく、１．２ｍｍ以上であるとより好ましい。
【００１２】
一方、白色テープの幅Ｗ１が狭すぎたり、前記隙間の幅Ｗ２が広すぎたりすると、上衣の内部に外気が取り込まれやすくなるものの、上衣の遮光性を確保しにくくなる。このため、白色テープの幅Ｗ１は、通常、１ｍｍ以上とされる。白色テープの幅Ｗ１は、３ｍｍ以上であると好ましく、５ｍｍ以上であるとより好ましい。また、前記隙間の幅Ｗ２は、通常、３ｍｍ以下であると好ましく、２ｍｍ以下であるとより好ましい。上記のような条件を満たした上で、幅Ｗ１に対する幅Ｗ１の比Ｗ２／Ｗ１は、通常、０．１〜０．５とされる。比Ｗ２／Ｗ１は、０．１５〜０．４であると好ましく、０．２〜０．３であると好ましい。
【００１３】
本発明の上衣において、遮光性生地を構成する白色テープの向きは、特に限定されないが、上衣の着用時に、白色テープの長手方向が水平方向となる向きで前記遮光性生地を前記通気性生地に重ねると好ましい。白色テープを水平方向に配することにより、ある隙間のすぐ上に配された白色テープが該隙間に影を作るようになるため、前記隙間の幅Ｗ２をある程度広く確保しても、上衣の遮光性を維持することが可能になる。
【００１４】
また、本発明の上衣は、襟部を有さないものであってもよいが、襟部を備え、該襟部の表面側が前記通気性生地によって形成され、該襟部の裏面側が前記遮光性生地によって形成されたものであると好ましい。これにより、体感温度を上昇させやすい首回りの遮光性を高めて、着用者に快適さを提供することが可能になる。襟部を立てて上衣を着用すると、首回りの遮光性をさらに高めることができる。
【発明の効果】
【００１５】
以上のように、本発明によって、度重なる使用を経ても遮光性生地が変質せず、長期間に亘って優れた遮光性を維持することができるだけでなく、遮光性生地が熱を吸収しにくく、その内部温度の上昇を抑えることのできる上衣を提供することが可能になる。
【図面の簡単な説明】
【００１６】
【図１】本発明の上衣の好適な実施態様を示した正面図である。
【図２】本発明の上衣の好適な実施態様を示した背面図である。
【図３】図１及び図２の上衣における遮光性生地の外面を示した図である。
【図４】図１及び図２の遮光性生地における白色テープの断面を拡大して示した図である。
【図５】図１及び図２の遮光性生地をＺ１−Ｚ１面（図３）で切断した断面を拡大して示した図である。
【発明を実施するための形態】
【００１７】
１．上衣の概要
本発明の上衣の好適な実施態様について、図面を用いてより具体的に説明すする。図１は、本発明の上衣の好適な実施態様を示した正面図である。図２は、本発明の上衣の好適な実施態様を示した背面図である。図３は、図１及び図２の上衣における遮光性生地２０の外面を示した図である。図４は、図１及び図２の遮光性生地２０における白色テープ２１の断面を拡大して示した図である。図５は、図１及び図２の遮光性生地２０をＺ１−Ｚ１面（図３）で切断した断面を拡大して示した図である。
【００１８】
本発明の上衣は、図１と図２に示すように、着用者の肌を覆う通気性生地１０と、通気性生地１０における少なくとも一部の外面に重ねて配された遮光性生地２０とで構成されており、遮光性が向上されたものとなっている。遮光性生地２０は、図３に示すように、複数本の白色テープ２１と、複数本の白色テープ２１を隙間αを隔てて平行に連結する複数本の連結糸２３〜２６とで構成されている。白色テープ２１は、図４に示すように、多数の微細な空隙２１Ａが内部に形成された反射層Ｌ１を有する積層体からなっている。以下、本実施態様の上衣の各構成について順に詳しく説明する。
【００１９】
２．通気性生地
通気性生地１０は、既に述べた通り、通気性を有する素材であれば特に限定されないが、本実施態様の上衣においては、通気性により優れたメッシュ素材を用いている。具体的には、合成繊維１１，１２（図５を参照。）からなる糸を網状に編成した編物を通気性生地１０として用いている。通気性生地１０として使用するメッシュ素材の目の大きさは、特に限定されないが、通気性や遮光性や強度や外観などを考慮すると、通常、０．５〜５ｍｍ（目の辺部の長さ）とされる。前記メッシュ素材の目の大きさは、１〜４ｍｍであると好ましく、１．５〜３ｍｍであるとより好ましい。本実施態様の上衣において、通気性生地１０に用いたメッシュ素材の目は、一辺の長さが約２ｍｍの四角形となっている。
【００２０】
３．遮光性生地
遮光性生地２０は、図３に示すように、隙間αを隔てて平行に配された複数本の白色テープ２１と、網目を形成するように直交して配された複数本の経糸２２及び緯糸２３とで構成されている。経糸２２及び緯糸２３は、複数本の白色テープ２１を連結する連結糸として機能している。本実施態様の上衣において、白色テープ２１の幅Ｗ１は６ｍｍで、隣り合う白色テープ２１の間に形成される隙間αの幅Ｗ２は１．５ｍｍとなっており、幅Ｗ１に対する幅Ｗ１の比Ｗ２／Ｗ１は０．２５となっている。経糸２２及び緯糸２３を用いた白色テープ２１の具体的な連結構造は、特に限定されないが、本実施態様の上衣においては、以下のような連結構造を採用している。
【００２１】
すなわち、本実施態様の上衣においては、図３に示すように、経糸２２として、樹脂製のモノフィラメントを採用するとともに、緯糸２３には、２本の樹脂製のモノフィラメント２３Ａ，２３Ｂを撚って形成したマルチフィラメントを採用している。経糸２２は、緯方向（図３の紙面左右方向）に配された緯糸２３におけるモノフィラメント２３Ａとモノフィラメント２３Ｂとの間を縫うように経方向（図３の紙面上下方向）に通している。これにより、複数本の経糸２２と複数本の緯糸２３を、接着剤や熱融着などによることなく一体化することが可能となっている。
【００２２】
一方、白色テープ２１は、図３に示すように、隣り合う緯糸２２の間で緯方向に配されている。隣り合う白色テープ２１の間には、白色テープ２１が配されていない網目の列が残されており、この部分は、遮光性生地２０を表裏に貫通した隙間αとなっている。隣り合う白色テープ２１は、経糸２２及び緯糸２３によって、隙間αを隔てて平行に保たれた状態となっている。白色テープ２１は、図５に示すように、隣り合う経糸２１の間を縫うように通されている。これにより、接着剤や熱融着などによらないで白色テープ２１を経糸２２及び緯糸２３と一体化することが可能となっている。
【００２３】
白色テープ２１についてより詳しく説明する。白色テープ２１は、図４に示すように、多数の微細な空隙２１Ａが内部に形成された反射層Ｌ１を有する積層体となっている。空隙２１Ａは、白色テープ２１に入射された光を散乱（反射）するのに寄与し、上衣の遮光性を高めるのに役立っている。また、空隙２１Ａは、上衣の内部の温度が上昇しないように、白色テープ２１の遮熱性あるいは保温性を高めるのにも役立っている。本実施態様の上衣においては、図４に示すように、反射層Ｌ１の両側に、反射層Ｌ１を傷や汚れから保護するための保護層Ｌ２を設けている。
【００２４】
白色テープ２１における反射層Ｌ１を形成する原料樹脂は、反射層Ｌ１に空隙２１Ａを形成できるものであれば特に限定されない。反射層Ｌ１の原料樹脂としては、ポリプロピレンなどのポリオレフィン、ポリエチレンテレフタレートやポリブチレンテレフタレートなどのポリエステル、ナイロン６やナイロン６，６などのポリアミドなど、各種の熱可塑性樹脂を好適に用いることができる。これらの熱可塑性樹脂は、後述する方法によって、容易に空隙２１Ａを形成することができる。なかでも、性能とコストを考慮すると、ポリプロピレンが好適である。ポリプロピレンなどの樹脂は、日光を浴びてもあまり変質しないことに加えて、熱を吸収しにくいので、上衣の内部温度の上昇を抑えることもできる。本実施態様の上衣においても、ポリプロピレンで反射層Ｌ１を形成している。
【００２５】
白色テープ２１における反射層Ｌ１に、多数の微細な空隙２１Ａを形成する方法は特に限定されないが、具体的には、以下のフィルム延伸法、発泡法、気体混合法の３種類が挙げられる。いずれの方法においても、反射層Ｌ１は、その光線透過率を５０％以下とすることが肝要である。反射層Ｌ１の光線透過率は４０％以下であると好ましく、３０％以下であるとより好ましい。反射層Ｌ１の光線透過率は、空隙２１Ａの寸法や、反射層Ｌ１の空隙率又は厚さなどを調整することにより、設定することができる。
【００２６】
（１）フィルム延伸法
反射層Ｌ１を形成する原料樹脂に非相溶性樹脂や無機充填材などの空隙形成材を混合して前記原料樹脂をフィルムに成形した後、該フィルムを延伸する方法である。フィルムを延伸する際に、空隙形成材周辺の原料樹脂が空隙形成材によって延伸方向に引き裂かれ、その引き裂かれた部分が空隙２１Ａとなる。フィルムの延伸方法としては、例えば、未延伸原反を、ロール法、テンター法など、公知の方法により所定の倍率まで一軸方向又は二軸方向に延伸する方法が挙げられる。
【００２７】
このフィルム延伸法において、空隙形成材として非相溶性樹脂を用いる場合には、ポリメチルペンテンなどのポリオレフィン、ポリスチレン、ポリブチレンテレフタレートなどのポリエステル、ナイロン、ポリカーボネートなどが例示される。非相溶性樹脂の配合量は、特に限定されないが、少なくしすぎると、反射層Ｌ１に形成される空隙２１Ａの数が少なくなり、反射層Ｌ１の光の反射率が低下するおそれがあるし、反対に多くしすぎると、ポリオレフィンの特性が失われる場合があり好ましくない。以上のことを鑑みて、非相溶性樹脂の配合量は、通常、１〜３０重量％、好ましくは、３〜１０重量％とされる。
【００２８】
また、上述したフィルム延伸法において、空隙形成材として無機充填材を用いる場合には、酸化チタン、亜鉛華、硫化亜鉛などの白色系顔料、アルミニウム粉末などの銀色系顔料、炭酸カルシウムなどが例示される。無機充填材の粒径は、０．１〜１μｍが好ましい。無機充填材の配合量は、特に限定されないが、少なくしすぎると、非相溶性樹脂を用いる場合と同様、反射層Ｌ１に形成される空隙２１Ａの数が少なくなり、反射層Ｌ１の光の反射率が低下するおそれがある。また、無機充填材の配合量を多くしすぎると、フィルムを延伸する際に、フィルムの表面に露出した無機充填材の粉末がフィルムから落ちるようになるおそれがある。このため、無機充填材の配合量は、通常、１〜３０重量％、好ましくは、２〜２０重量％とされる。
【００２９】
（２）発泡法
原料樹脂に発泡剤を練り込んでフィルムを成形した後、該発泡剤を発泡させる方法である。発泡剤が発泡した際に形成される気泡が空隙２１Ａとなる。使用する発泡剤としては、加熱により分解ガスを発生する熱分解型発泡剤を使用することができる。熱分解型発泡剤としては、アゾジカルボンアミド、アゾビスホルムアミド、ジニトロソペンタメチレンテトラミン、トルエンスルホニルヒドラジドなどが挙げられる。
【００３０】
（３）気体混合法
原料樹脂を押出機に投入し、該押出機にて原料樹脂をフィルムに成形する際に、押出機の途中に設けられた圧入孔から気体や物理型発泡剤（加熱により気化する発泡剤）を圧入する方法である。物理型発泡剤としては、空気、窒素、水、炭酸ガスなどの無機系ガスや、フロン、ブタン、ペンタン、ヘキサンなどの有機系発泡剤が挙げられる。発泡倍率は、１．０１〜１０倍であると好ましく、１．１〜３倍であるとより好ましい。
【００３１】
４．その他
本実施態様の上衣は、図１と図２に示すように、襟部３０を備えており、襟部３０の表面側が通気性生地１０によって形成され、襟部３０の裏面側が遮光性生地２０によって形成されたものとなっている。このため、襟部３０を立てた状態で上衣を着用すると、着用者の首廻りにおける比較的高い位置の遮光を行うことができるようになっている。したがって、着用者の体感温度を効果的に下げることも可能となっている。
【００３２】
また、本実施態様の上衣において、通気性生地１０と遮光性生地２０は、その縁部同士がパイピング材４０を介して縫着しており、その非縁部は、互いに固着されていない。このため、本実施態様の上衣では、通気性生地１０と遮光性生地２０との間に、冷却剤（図示省略）などを収容することもできる。具体的には、上衣における所定箇所の通気性生地１０と遮光性素材２０とをポケット状に互いに縫い合わせ、そのポケット（冷却剤収容ポケット）の内部に冷却剤を収容できるようにすると好ましい。冷却剤収容ポケットに収容した冷却剤を交換することができるように、通気性生地１０又は遮光性生地２０における冷却剤収容ポケット周辺には切込みや開口部を設けてもよい。冷却剤収容ポケットを設ける場所は、特に限定されないが、着用者の体感温度を効果的に低下させることを考慮すると、上衣の背中側、特に着用者の首の付根を覆う辺りから肩甲骨を覆う辺りまでに設けておくと好ましい。
【００３３】
この他、本実施態様の上衣には、様々な工夫を施してある。例えば、本実施態様の上衣の外面には、図１と図２に示すように、反射テープ５０を貼ってある。この反射テープ５０は、車のヘッドライトなどから照射された光を反射する素材で形成されており、夜間であっても車のドライバーに着用者の存在を知らしめることができるようになっている。これにより、着用者の安全性を高めることができる。この構成は、本実施態様の上衣を、道路工事などの作業員が着用する場合などに好適である。また、本実施態様の上衣は、図１と図２に示すように、その前身頃と後身頃とが脇下から裾に亘って分離した形態となっており、様々な体型の着用者に対応できるようになっている。本実施態様の上衣における脇下部分には、長さ調節可能なサイズ調節ベルト６０が取り付けられており、上衣のウエストサイズを調節することができるようになっている。
【符号の説明】
【００３４】
１０    通気性生地
１１    合成繊維
１２    合成繊維
２０    遮光性生地
２１    白色テープ
２１Ａ  空隙
２２    経糸（連結糸）
２３    緯糸（連結糸）
２３Ａ  モノフィラメント
２３Ｂ  モノフィラメント
２６    （連結糸）
３０    襟部
４０    パイピング材
５０    反射テープ
６０    サイズ調節ベルト
α    隙間
【図１】
2011080163.tif 000003
【図２】
2011080163.tif 000004
【図３】
2011080163.tif 000005
【図４】
2011080163.tif 000006
【図５】
2011080163.tif 000007